(57)【特許請求の範囲】
【請求項１】
記録媒体に画像を記録する画像記録装置であって、
画像を入力する入力手段と、
画像を記録媒体に記録する記録手段と、
操作者によってオン・オフすることが可能であって、オン状態であるときに、前記入力手段により入力される画像を表示可能な画像表示手段と、
前記記録手段が前記記録媒体に対して画像を記録することが可能な状態であるか否かを検知する検知手段と、
画像の記録に関する指示を受付ける受付手段と、
前記受付手段が前記指示を受付けた際に、前記記録手段が前記記録媒体に対して画像を記録することができない状態である場合には、前記画像表示手段をオフ状態からオン状態に切り換えるとともに、前記画像表示手段に警告表示を行う制御手段と、
を備えることを特徴とする画像記録装置。
【請求項２】
操作者によってオン・オフすることが可能であって、オン状態であるときに、入力される画像を表示可能な画像表示手段と、記録媒体に画像を記録する記録手段を有する画像記録装置の制御方法であって、
画像を入力する入力工程と、
前記記録手段が前記記録媒体に対して画像を記録することが可能な状態であるか否かを検知する検知工程と、
画像の記録に関する指示を受付けた際に前記記録手段が前記記録媒体に対して画像を記録することができない状態である場合に、前記画像表示手段をオフ状態からオン状態に切り換えるとともに、前記画像表示手段に警告表示を行う制御工程と、
を含むことを特徴とする画像記録装置の制御方法。
【請求項３】
操作者によってオン・オフすることが可能であって、オン状態であるときに、入力される画像を表示可能な画像表示手段と、記録媒体に画像を記録する記録手段を有する画像記録装置を制御するための制御プログラムを格納したメモリ媒体であって、該制御プログラムが、前記画像記録装置に、
画像を入力する入力工程と、
前記記録手段が前記記録媒体に対して画像を記録することが可能な状態であるか否かを検知する検知工程と、
画像の記録に関する指示を受付けた際に前記記録手段が前記記録媒体に対して画像を記録することができない状態である場合に、前記画像表示手段をオフ状態からオン状態に切り換えるとともに、前記画像表示手段に警告表示を行う制御工程と、
を含む処理を実行させることを特徴とするメモリ媒体。
【発明の詳細な説明】
【０００１】
【発明の属する技術分野】
本発明は、画像記録装置及びその制御方法並びにメモリ媒体に係り、特に、記録媒体に画像を記録する画像記録装置及びその制御方法並びにその制御に供するプログラムを格納したメモリ媒体に関する。
【０００２】
【従来の技術】
画像記録装置の１つとして、例えば、固体メモリ素子を有するメモリカードを記録媒体として、静止画像や動画像を記録し再生する電子カメラがある。その中には、カラー液晶パネル等の表示部に被写体像を表示する電子ファインダー機能を備える電子カメラもある。
【０００３】
このような電子カメラでは、撮影前の画像を電子ファインダーとしての表示部に連続的に表示して、撮影する画像の構図の決定に供したり、撮影済みの画像の確認に供したりすることができる。また、このような電子カメラでは、複数の記録媒体を必要に応じて交換しながら各種の撮影を行ったり、撮影に先立って撮影機能等の事前確認を行ったりすることが可能である。
【０００４】
【発明が解決しようとする課題】
上記の従来例に係る電子カメラでは、記録媒体が装着されない状態で撮影を行うことを禁止している機種が多い。かかる機種では、記録媒体を装着しなければシャッターボタンを押しても撮影が行われないため、例えば、単に自動焦点機構等の動作確認をする場合であっても、記録媒体を準備する必要があり、不便である。
【０００５】
一方、記録媒体が装着されていない状態での撮影動作を許可している機種もある。かかる機種では、記録媒体が装着されていない事に気付かずに撮影動作がなされ、重要なシーンの記録に失敗する可能性があった。
【０００６】
本発明は、上記の背景に鑑みてなされたものであり、例えば、記録媒体に画像を記録することができない状態で撮影動作がなされることによる画像の記録の失敗を防止することを目的とする。
【０００７】
【課題を解決するための手段】
本発明の第１の側面に係る画像記録装置は、記録媒体に画像を記録する画像記録装置であって、画像を入力する入力手段と、画像を記録媒体に記録する記録手段と、操作者によってオン・オフすることが可能であって、オン状態であるときに、前記入力手段により入力される画像を表示可能な画像表示手段と、前記記録手段が前記記録媒体に対して画像を記録することが可能な状態であるか否かを検知する検知手段と、画像の記録に関する指示を受付ける受付手段と、前記受付手段が前記指示を受付けた際に、前記記録手段が前記記録媒体に対して画像を記録することができない状態である場合には、前記画像表示手段をオフからオンに切り換えるとともに、前記画像表示手段に警告表示を行う制御手段と、を備えることを特徴とする。
本発明の第２の側面に係る画像記録装置の制御方法は、操作者によってオン・オフすることが可能であって、オン状態であるときに、入力される画像を表示可能な画像表示手段と、記録媒体に画像を記録する記録手段を有する画像記録装置の制御方法であって、画像を入力する入力工程と、前記記録手段が前記記録媒体に対して画像を記録することが可能な状態であるか否かを検知する検知工程と、画像の記録に関する指示を受付けた際に前記記録手段が前記記録媒体に対して画像を記録することができない状態である場合に、前記画像表示手段をオフ状態からオン状態に切り換えるとともに、前記画像表示手段に警告表示を行う制御工程と、を含むことを特徴とする。
本発明の第３の側面に係るメモリ媒体は、操作者によってオン・オフすることが可能であって、オン状態であるときに、入力される画像を表示可能な画像表示手段と、記録媒体に画像を記録する記録手段を有する画像記録装置を制御するための制御プログラムを格納したメモリ媒体であって、該制御プログラムが、前記画像記録装置に、画像を入力する入力工程と、前記記録手段が前記記録媒体に対して画像を記録することが可能な状態であるか否かを検知する検知工程と、画像の記録に関する指示を受付けた際に前記記録手段が前記記録媒体に対して画像を記録することができない状態である場合に、前記画像表示手段をオフ状態からオン状態に切り換えるとともに、前記画像表示手段に警告表示を行う制御工程と、を含む処理を実行させることを特徴とする。
【００２０】
本発明の第２の側面に係る画像記録装置の制御方法は、記録媒体に画像を記録する画像記録装置の制御方法であって、画像を入力する入力工程と、画像を記録媒体に記録する記録工程と、前記記録媒体に対して画像を記録することが可能な状態であるか否かを検知する検知工程と、画像の記録に関する指示を受付けた際に前記記録媒体に対して画像を記録することができない状態である場合に、所定の警告を発する警告工程とを含むことを特徴とする。
【００３３】
【発明の実施の形態】
以下、本発明の好適な実施の形態として電子カメラに関して説明するが、本発明は、動画又は静止画を記録媒体に記録するあらゆる画像記録装置に適用することができる。また、本発明は、記録媒体に対して電気的に画像を記録する電子カメラのみならず、例えば銀塩カメラやビデオカメラ等の画像記録装置にも適用することができる。また、本発明は、画像記録装置を構成要素の一部として含む画像処理装置や情報処理装置等のあらゆる装置に適用することができる。また、本発明は、撮像装置等の他の装置から供給される画像を記録媒体に記録する画像記録装置にも適用することができる。
【００３４】
［第１の実施の形態］
図１は、本発明の好適な実施の形態に係る電子カメラの概略構成を示す図である。
【００３５】
この実施の形態に係る電子カメラは、電子カメラ本体１００と、レンズユニット３００とを備え、記録媒体２００及び／又は２１０を電子カメラ本体１００に装着することができる。
【００３６】
先ず、電子カメラ本体１００に関して説明する。図１において、１４は光学像を電気信号に変換する撮像素子（例えば、ＣＣＤ素子）、１６は撮像素子１４のアナログ信号出力をディジタル信号に変換するＡ／Ｄ変換器である。１８は、撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００３７】
２０は、画像処理回路であり、Ａ／Ｄ変換器１６から出力されるデータ或いはメモリ制御回路２２から出力されるデータに対して、例えば、画素補間処理や色変換処理等の画像処理を施す。
【００３８】
また、画像処理回路２０では、撮像に係る画像データを用いて、システム制御回路５０が露光制御部３４０及び焦点制御部３４２を制御してＴＴＬ（スルー・ザ・レンズ）方式のＡＦ（オートフォーカス）処理、ＡＥ（自動露出）処理及びＥＦ（フラッシュプリ発光）処理を実現するための演算処理を行う。さらに、画像処理回路２０では、撮像した画像データを用いて、ＴＴＬ方式のＡＷＢ（オートホワイトバランス）処理を行う。
【００３９】
２２は、メモリ制御回路であり、Ａ／Ｄ変換器１６、タイミング発生回路１８、画像処理回路２０、画像表示メモリ２４、Ｄ／Ａ変換器２６、メモリ３０及び圧縮・伸長回路３２を制御する。
【００４０】
Ａ／Ｄ変換器１６から出力されるデータは、画像処理回路２０及びメモリ制御回路２２を介して、或いは画像処理回路２０を介することなくメモリ制御回路２２のみを介して、画像表示メモリ２４或いはメモリ３０に書き込まれる。
【００４１】
２４は画像表示メモリ、２６はＤ／Ａ変換器である。２８は、例えばＴＦＴ-ＬＣＤ等で構成される画像表示部である。画像表示メモリ２４に書き込まれた表示用の画像データはＤ／Ａ変換器２６を介して画像表示部２８に供給され、これにより画像が表示される。画像表示部２８を用いて撮像に係る画像を逐次表示することにより、電子ファインダー機能を実現することができる。また、画像表示部２８は、システム制御回路５０からの指示に従って画像の表示をＯＮ／ＯＦＦする機能を有し、画像表示をＯＦＦ状態にすることにより、電子カメラ本体１００の電力消費を大幅に低減することができる。
【００４２】
３０は、撮影した静止画像や動画像を格納するためのメモリであり、所定枚数の静止画像や所定時間の動画像を格納するために十分な記憶量を備えている。従って、複数枚の静止画像を連続して撮影する連写撮影やパノラマ撮影を行うこともできる。また、メモリ３０はシステム制御回路５０の作業領域としても使用され得る。
【００４３】
３２は、例えば適応離散コサイン変換（ＡＤＣＴ）等により画像データを圧縮或いは伸長する圧縮・伸長回路であり、メモリ３０に格納された画像データを読み込んで圧縮処理或いは伸長処理を行い、処理済みのデータをメモリ３０に書き込む。
【００４４】
４８はフラッシュであり、ＡＦ補助光の投光機能やフラッシュ調光機能も有する。露光制御部３４０及び焦点制御部３４２は、ＴＴＬ方式により制御される。即ち、露光制御部３４０及び焦点制御部３４２は、撮像に係る画像データを画像処理回路２０によって演算した演算結果に基づいてシステム制御回路５０により制御される。
【００４５】
５０は電子カメラ本体１００の全体を制御するシステム制御回路である。５２はシステム制御回路５０が動作する際に参照する定数、変数、プログラム等を記憶するメモリである。
【００４６】
５４は、システム制御回路５０がプログラムに基づいて動作する際に、その実行に応じて、文字、表示、音声等により動作状態やメッセージ等を発する情報出力部であり、例えばＬＣＤやＬＥＤの表示素子及びスピーカ等の発音素子で構成される。情報出力部５４を構成する単数或いは複数の構成要素は、例えば、電子カメラ本体１００の操作部７０近辺の視認し易い位置に設置される。また、情報出力部５４の構成要素は、光学ファインダー１０４内にも配置される。
【００４７】
情報出力部５４による表示内容のうちＬＣＤ等により表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、レンズユニット３００の着脱状態表示、通信Ｉ／Ｆ動作表示、日付け・時刻表示、外部コンピュータとの接続状態を示す表示等がある。
【００４８】
また、情報出力部５４による表示内容のうち光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示等がある。
【００４９】
また、情報出力部５４の表示内容のうちＬＥＤ等に表示するものとしては、例えば、合焦表示、撮影準備完了表示、手振れ警告表示、フラッシュ充電表示、フラッシュ充電完了表示、記録媒体書き込み動作表示、マクロ撮影設定通知表示、二次電池充電状態表示等がある。
【００５０】
また、情報出力部５４による表示内容のうちランプ等に表示するものとしては、例えば、セルフタイマー通知ランプ等がある。このセルフタイマー通知ランプは、ＡＦ補助光と共用であってもよい。
【００５１】
５６は電気的に消去・記録可能な不揮発性メモリであり、例えばＥＥＰＲＯＭ等で構成される。
【００５２】
６０，６２，６４，６６，６８，７０及び７２は、システム制御回路５０に対する各種の動作指示を入力するための操作手段であり、例えば、スイッチ、ダイアル、タッチパネル、視線検知によるポインティング、音声認識装置等の単数或いは複数の組み合わせで構成される。以下に、これらの操作手段に関して具体的に説明する。
【００５３】
６０はモードダイアルスイッチであり、これにより操作者は、電源オフ、自動撮影モード、撮影モード、パノラマ撮影モード、再生モード、マルチ画面再生・消去モード、ＰＣ接続モード等の各機能モードを切り替えることができる。
【００５４】
６２はシャッタースイッチであり、シャッターボタン６４の操作途中（半押し）でスイッチ信号ＳＷ１をＯＮ状態にし、ＡＦ（オートフォーカス）処理、ＡＥ（自動露出）処理、ＡＷＢ（オートホワイトバランス）処理、ＥＦ（フラッシュプリ発光）処理等の動作の開始を指示する。また、シャッタースイッチ６２は、シャッターボタン６４の操作完了（全押し、即ち撮影指示）でスイッチ信号ＳＷ２をＯＮ状態しに、撮像素子１４から出力される信号をＡ／Ｄ変換器１６によりデジタル信号に変換し、これをメモリ制御回路２２を介してメモリ３０に格納する露光処理、画像処理回路２０やメモリ制御回路２２における演算処理による現像処理、メモリ３０から画像データを読み出して、これを圧縮・伸長回路３２で圧縮して記録媒体２００或いは２１０に画像データを書き込む記録処理という一連の処理の開始を指示する。
【００５５】
６６は画像表示のＯＮ／ＯＦＦスイッチであり、これにより操作者は、画像表示部２８への画像の表示のＯＮ／ＯＦＦを設定することができる。この機能により、ＴＦＴ-ＬＣＤ等で構成される画像表示部２８への電流供給を任意に遮断し、省電力化を図ることができる、
６８はクイックレビューのＯＮ／ＯＦＦスイッチであり、これにより操作者は、撮影直後の画像を自動再生するクイックレビュー機能を設定することができる。また、このクイックレビューのＯＮ／ＯＦＦの設定は、画像表示部２８への画像の表示をＯＦＦに設定した場合においても有効である。
【００５６】
７０は各種ボタンやタッチパネル等からなる操作部であり、メニューボタン、セットボタン、マクロボタン、マルチ画像再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露光補正ボタン、日付／時間設定ボタン、パノラマモード等の撮影及び再生を実行する際に各種機能の選択及び切り替えを設定するための選択／切り替えボタン、パノラマモード等の撮影及び再生を実行する際に各種機能の決定及び実行を設定する決定／実行ボタン等がある。
【００５７】
７２は圧縮モードスイッチであり、ＪＰＥＧ圧縮の圧縮率（ＪＰＥＧ圧縮のモード）を選択するため、或いは、撮像素子１４から出力される信号をそのままデジタル化して記録媒体に記録するＣＣＤＲＡＷモードを選択するためのスイッチである。
【００５８】
ＪＰＥＧ圧縮のモードとしては、例えばノーマルモードとファインモードが用意されている。ＪＰＥＧ圧縮のモードでは、撮像素子１４から読み出されてＡ／Ｄ変換器１６、画像処理回路２０及びメモリ制御回路２２を介してメモリ３０に書き込まれた画像データをメモリ３０から読み出し、圧縮・伸長回路３２により設定された圧縮率で圧縮を行った後に、その圧縮済みの画像データを記録媒体２００或いは２１０に記録する。
【００５９】
ＣＣＤＲＡＷモードでは、撮像素子１４の色フィルタの画素配列に応じてライン毎にそのまま撮像素子１４から読み出して、Ａ／Ｄ変換器１６及びメモリ制御回路２２を介してメモリ３０に書き込まれた画像データをメモリ３０から読み出し、記録媒体２００或いは２１０に記録する。
【００６０】
８０は電源制御部であり、例えば、電池検出回路、ＤＣ−ＤＣコンバータ、通電するブロックを切り替えるスイッチ回路等により構成されており、電池の装着の有無、電池の種類及び電池残量を検出し、その検出結果及びシステム制御回路５０の指示に基づいてＤＣ−ＤＣコンバータを制御して、必要な電圧を必要な期間だけ各部（記録媒体、レンズユニットを含む）に供給する。８２，８４はコネクタ、８６は、例えば、アルカリ電池やリチウム電池等の一次電池、ＮｉＣｄ電池、ＮｉＭＨ電池、Ｌｉ電池等の二次電池、ＡＣアダプタ等で構成される電源部である。
【００６１】
９０及び９４はメモリカードやハードディスク等の記録媒体２００及び２１０と接続するためのインターフェース、９２及び９６は記録媒体２００及び２１０を保持するためのコネクタ、９８はコネクタ９２或いは９６に記録媒体２００或いは２１０が装着されているか否かを検知する記録媒体着脱検知部である。
【００６２】
なお、この実施の形態は、記録媒体を装着するためのインターフェース及びコネクタを２系統持つものとして説明しているが、記録媒体を装着（保持）するためのインターフェース及びコネクタの系統は、単数でもよいし複数でもよい。インターフェース及びコネクタとしては、ＰＣＭＣＩＡカードやＣＦ（コンパクトフラッシュ）カード等の規格に準拠したものを用いて構成しても構わない。
【００６３】
さらに、インターフェース９０及び９４並びにコネクタ９２及び９６をＰＣＭＣＩＡカードやＣＦ（コンパクトフラッシュ）カード等の規格に準拠したものを用いて構成した場合、ＬＡＮカード、モデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を相互に転送することができる。
【００６４】
１０４は光学ファインダーであり、この光学ファインダー１０４を利用することにより、画像表示部２８を利用した電子ファインダー機能を使用することなく、撮影を行うことができる。また、光学ファインダー１０４内には、情報出力部５４の一部の構成要素、例えば、合焦表示、手振れ警告表示、フラッシュ充電表示、シャッタースピード表示、絞り値表示、露出補正表示等のための素子が設置されている。
【００６５】
１１０は通信部であり、例えば、ＲＳ２３２Ｃ、ＵＳＢ、ＩＥＥＥ１３９４、Ｐ１２８４、ＳＣＳＩ、モデム、ＬＡＮ、無線通信等による通信を行う。１１２は、通信部１１０と協同して電子カメラ本体１００を他の機器と接続するためのコネクタ或いは無線通信用のアンテナである。
【００６６】
１２０は、レンズマウント１０６内において、電子カメラ本体１００をレンズユニット３００と接続するためのインターフェース、１２２は電子カメラ本体１００をレンズユニット３００と電気的に接続するためのコネクタ、１２４はレンズマウント１０６及び／或いはコネクタ１２２にレンズユニット３００が装着されているか否かを検知するレンズ着脱検知部である。
【００６７】
コネクタ１２２は、電子カメラ本体１００とレンズユニット３００との間で制御信号、状態信号、データ信号等を相互に伝達する機能及び各種電圧の電流をレンズユニット３００に供給する機能を備えている。なお、コネクタ１２２は、電気信号のみならず、光信号、音声信号等を伝達する構成としても良い。
【００６８】
２００はメモリカードやハードディスク等を含む記録媒体である。記録媒体２００は、半導体メモリや磁気ディスク等で構成される記録部２０２、電子カメラ本体１００と接続するためのインターフェース２０４及びコネクタ２０６を備えている。
【００６９】
２１０はメモリカードやハードディスク等を含む記録媒体である。記録媒体２１０は半導体メモリや磁気ディスク等で構成される記録部２１２、電子カメラ本体１００と接続するためのインターフェース２１４及びコネクタ２１６を備えている。
【００７０】
３００は交換レンズタイプのレンズユニットである。３０６は、レンズユニット３００を電子カメラ本体１００と機械的に結合するためのレンズマウントである。レンズマウント３０６内には、レンズユニット３００を電子カメラ１００と電気的に接続するための各種機能が含まれている。
【００７１】
３１０は撮影レンズ、３１２は絞り機能を備えるシャッターである。３２０は、レンズマウント３０６内において、レンズユニット３００を電子カメラ本体１００と接続するためのインターフェース、３２２はレンズユニット３００を電子カメラ本体１００と電気的に接続するためのコネクタである。
【００７２】
コネクタ３２２は、電子カメラ本体１００とレンズユニット３００との間で制御信号、状態信号、データ信号等を相互に伝達するための機能及び各種電圧の電流を入力する機能を備えている。また、コネクタ３２２は、電気信号のみならず、光信号、音声信号等を伝達する構成としても良い。
【００７３】
３４０は、絞り機能を備えるシャッター３１２を制御する露光制御部であり、フラッシュ４８と連携することによりフラッシュ調光機能を実現している。３４２は撮影レンズ１０のフォーカシングを制御する焦点制御部、３４４は撮影レンズ１０のズーミングを制御するズーム制御部である。
【００７４】
３５０はレンズユニット３００の全体を制御するレンズシステム制御回路である。レンズシステム制御回路３５０は、動作用の定数、変数、プログラム等を記憶するメモリや、レンズユニット３００の識別情報（例えば固有の番号）、管理情報、開放絞り値、最小絞り値、焦点距離等の機能情報、現在や過去の各設定値などを保持する不揮発性メモリの機能を備えている。
【００７５】
以下、図２乃至図８を参照して、第１の実施の形態に係る電子カメラの動作を説明する。
【００７６】
図２乃至図４は、電子カメラ本体１００を制御する主ルーチンのフローチャートである。電池交換等がなされて電源が投入されると、ステップＳ１０１において、システム制御回路５０は、フラグや制御変数等を初期化し、次いで、ステップＳ１０２において、画像表示部２８の画像表示をＯＦＦ状態に設定する。
【００７７】
ステップＳ１０３では、システム制御回路５０は、モードダイアル６０の設定位置を確認し、モードダイアル６０が電源ＯＦＦの位置に設定されている場合は、各表示部の表示を終了状態に変更し、フラグや制御変数等を含む必要なパラメータや設定値及び設定モードを不揮発性メモリ５６に記憶し、電源制御部８０に命じて、画像表示部２８を含めて電子カメラ本体１００の各部の不要な電源を遮断するための所定の終了処理を行った後にステップＳ１０３に戻る。
【００７８】
また、ステップＳ１０３において、モードダイアル６０が撮影モードの位置に設定されている場合はステップＳ１０６に進む。また、ステップＳ１０３において、モードダイアル６０がその他のモードの位置に設定されている場合は、ステップＳ１０４において、システム制御回路５０は選択されたモードに応じた処理を実行した後にステップＳ１０３に戻る。
【００７９】
ステップＳ１０６では、システム制御回路５０は、電源制御部８０により電池等により構成される電源部８６の残容量や動作状況が電子カメラ本体１００の動作に支障があるか否かを判断する。そして、動作に支障があると判断した場合は、システム制御回路５０は、ステップＳ１０７において、情報出力部５４を用いて表示や音声により所定の警告を発した後にステップＳ１０３に戻る。なお、画像表示部２８の画像表示がＯＮ状態である場合は、画像表示部２８をも利用して警告を発してもよい。
【００８０】
また、ステップＳ１０６において、電源部８６の残容量が所定の閾値より多いと判断した場合は、ステップＳ１０９において、システム制御回路５０は、電池残容量を示すフラグを、電子カメラ本体１００の動作を継続するために十分であることを示すＨに設定すると共に表示設定を「電池残容量Ｈ」に設定して、ステップＳ１１０に進む。
【００８１】
また、ステップＳ１０６において、電源部８６の残容量が所定の閾値より少ないと判断した場合は、電池残容量を示すフラグを、電子カメラ本体１００の動作を継続する上で電源部８６の残容量が残り少ない状態であることを示すＬに設定すると共に表示設定を「電池残容量Ｌ」に設定して、ステップＳ１１０に進む。
【００８２】
なお、電池残容量を示すフラグの状態は、例えば、システム制御回路５０の内部メモリ或いはメモリ５２に記憶される。
【００８３】
ステップＳ１１０では、システム制御回路５０は、記録媒体着脱検知部９８に問合わせることにより、記録媒体２００或いは２１０が電子カメラ１００に装着されているか否かを確認し、いずれかが装着されていると判断した場合はステップＳ１１１において表示設定を「記録媒体有り」に設定し、いずれも装着されていないと判断した場合はステップＳ１１２において表示設定を「記録媒体無し」に設定する。
【００８４】
ステップＳ１１３では、システム制御回路５０は、情報出力部５４を利用して、表示設定の内容に基づいて、表示や音声により電池残容量や記録媒体の装着に関する情報を含む電子カメラ本体１００の各種設定状態の表示を行う。なお、画像表示部２８の画像表示がＯＮ状態である場合は、画像表示部２８をも利用して電子カメラ本体１００の各種設定状態の表示を行ってもよい。
【００８５】
ステップＳ１１４では、システム制御回路５０は、クイックレビューのＯＮ／ＯＦＦスイッチ６８の設定状態を確認し、クリックレビューがＯＮ状態に設定されていると判断した場合は、ステップＳ１１５において、クイックレビューフラグを設定し、一方、クイックレビューがＯＦＦ状態に設定されてると判断した場合は、ステップＳ１１６において、クイックレビューフラグを解除する。
【００８６】
なお、クイックれビューフラグの状態は、例えば、システム制御回路５０の内部メモリ或いはメモリ５２に記憶される。
【００８７】
ステップＳ１１７では、システム制御回路５０は、画像表示部２８への画像の表示を設定するＯＮ／ＯＦＦスイッチ６６の設定状態を確認し、ＯＮ状態に設定されていると判断した場合は、ステップＳ１１８において画像表示フラグを設定し、ステップＳ１１９において画像表示部２８の画像表示をＯＮ状態に設定し、ステップＳ１２０において、撮像した画像を逐次表示するスルー表示状態に設定して、ステップＳ１３１に進む。
【００８８】
スルー表示状態においては、撮像素子１４、Ａ／Ｄ変換器１６、画像処理回路２０及びメモリ制御回路２２を介して画像表示メモリ２４に逐次書き込まれた画像データを、メモリ制御回路２２及びＤ／Ａ変換器２６を介して画像表示部２８に逐次転送して画像表示部２８に画像を表示することにより、画像表示部２８を電子ファインダーとして機能させる。
【００８９】
ステップＳ１１７において、画像表示に関するＯＮ／ＯＦＦスイッチ６６がＯＦＦ状態に設定されていると判断した場合は、ステップＳ１２１において、画像表示フラグを解除し、ステップＳ１２２において、画像表示部２８の画像表示をＯＦＦ状態に設定して、ステップＳ１３１に進む。
【００９０】
画像表示部２８への画像表示がＯＦＦ状態である場合は、操作者は、画像表示部２８による電子ファインダー機能ではなく、光学ファインダー１０４を利用して撮影を行う。この場合、電力消費量の大きい画像表示部２８やＤ／Ａ変換器２６６等における電力消費を削減することができる。
【００９１】
なお、画像表示フラグの状態は、例えば、システム制御回路５０の内部メモリ或いはメモリ５２に記憶される。
【００９２】
ステップＳ１３１では、スイッチ信号ＳＷ１がＯＮ状態（シャッターボタン６４が半押しの状態）であるか否かを確認し、ＯＦＦ状態であればステップＳ１０３に戻る。
【００９３】
一方、スイッチ信号ＳＷ１がＯＮ状態であれば、システム制御回路５０は、ステップＳ１３２において、システム制御回路５０の内部メモリ或いはメモリ５２に記憶されている画素表示フラグの状態を確認し、画像表示フラグが設定されている場合はステップＳ１３５に進み、画像表示フラグが解除されている場合はステップＳ１３３に進む。
【００９４】
ステップＳ１３３では、システム制御回路５０は、記録媒体着脱検知部９８に問合わせることにより、記録媒体２００或いは２１０が電子カメラ本体１００に装着されているか否かを確認し、いずれかが装着されていると判断した場合はステップＳ１３６に進む。
【００９５】
一方、記録媒体２００或いは２１０のいずれも電子カメラ本体１００に装着されていないと判断した場合は、システム制御回路５０は、ステップＳ１３４において画像表示部２８の画像表示をＯＮ状態に設定し、ステップＳ１３５に進む。
【００９６】
ステップＳ１３５では、システム制御回路５０は、画像表示部２８の表示状態をフリーズ表示状態に設定してステップＳ１３６に進む。フリーズ表示状態では、撮像素子１４、Ａ／Ｄ変換器１６、画像処理回路２０及びメモリ制御回路２２を介して画像表示メモリ２４内の画像データを書き換えることを禁止し、直前に画像表示メモリ２４に書き込まれた画像データをメモリ制御回路２２及びＤ／Ａ変換器２６を介して画像表示部２８に転送することにより、電子ファインダーとしての画像表示部２８にフリーズした映像を表示する。
【００９７】
ステップＳ１３６では、システム制御回路５０は、記録媒体着脱検知部９８に問合わせることにより、記録媒体２００或いは２１０が電子カメラ本体１００に装着されているか否かを確認し、いずれかが装着されていると判断した場合は、ステップＳ１３８に進む。
【００９８】
一方、記録媒体２００或いは２１０のいずれも電子カメラ本体１００に装着されていないと判断した場合は、ステップＳ１３７において、システム制御回路５０は、情報出力部５４或いは画像表示部２８を利用して表示や音声により記録媒体２００或いは２１０のいずれも電子カメラ本体１００に装着されていないことを操作者に対して警告し、ステップＳ１３８に進む。
【００９９】
このように、スイッチ信号ＳＷ１がＯＮ状態になった時、即ち、シャッターボタン６４が半押し状態にされた時に、記録媒体２００或いは２１０が電子カメラ本体１００に装着されているか否かを確認し、いずれも装着されていない場合にはその旨の警告を行うことにより、操作者が記録媒体に画像を記録することができない事に気付かず誤って撮影動作を続行することを防止することができる。また、シャッターボタン６４が半押しの状態にされた時に記録媒体２００或いは２１０のいずれも電子カメラ本体１００に装着されていない場合、画像表示部２８の画像表示がＯＦＦ状態に設定されていても、これをＯＮ状態に切り換えて警告を表示することにより、操作者が記録媒体に画像を記録することができない事に気付かず誤って撮影動作を続行することを防止することができる。一般的に、ＴＦＴ-ＬＣＤ等で構成される画像表示部２８は情報出力部５４の表示素子よりも大型であるため、画像表示部２８を利用して操作者に警告を発することにより、操作者への警告を効果的に行うことができる。
【０１００】
ステップＳ１３８では、システム制御回路５０は、焦点制御部３４２等を制御して撮影レンズ３１０の焦点を撮像素子１４の撮像面に合わせると共に露光制御部３４０等を制御して測光処理を行って絞り値及びシャッター時間を決定する。なお、測光処理においては、必要であればフラッシュの設定も行う。この測距・測光処理(ステップＳ１３８）の詳細は図５を参照して後述する。
【０１０１】
ステップＳ１３９では、システム制御回路５０は、システム制御回路５０の内部メモリ或いはメモリ５２に記録されている画像表示フラグの状態を確認し、画像表示フラグが設定されている場合はステップＳ１４２に進む。
【０１０２】
一方、画像表示フラグが解除されている場合は、ステップＳ１４０において、システム制御回路５０は、記録媒体着脱検知部９８に問合わせることにより、記録媒体２００或いは２１０が電子カメラ本体１００に装着されているか否かを確認し、いずれかが装着されていると判断した場合はステップＳ１４３に進む。
【０１０３】
一方、記録媒体２００或いは２１０のいずれも電子カメラ本体１００に装着されていないと判断した場合は、ステップＳ１４１において、システム制御回路５０は、画像表示部２８の画像表示をＯＮ状態に設定し、ステップＳ１４２に進む。
【０１０４】
ステップＳ１４２では、システム制御回路５０は、画像表示部２８の表示状態をスルー表示状態に設定してＳ１４３に進む。なお、ステップＳ１４２におけるスルー表示状態は、ステップＳ１２０におけるスルー表示状態と同じ動作状態である。
【０１０５】
ステップＳ１４３では、システム制御回路５０は、記録媒体着脱検知部９８に問合わせることにより、記録媒体２００或いは２１０が電子カメラ本体１００に装着されているか否かを確認し、いずれかが装着されていると判断した場合はステップＳ１４５に進む。
【０１０６】
一方、記録媒体２００或いは２１０のいずれも電子カメラ本体１００に装着されていないと判断した場合は、ステップＳ１４４において、情報出力部５４及び／或いは画像表示部２８を利用して表示や音声により、記録媒体２００或いは２１０のいずれも画像処理装置１００に装着されていないことを警告し、ステップＳ１４５に進む。
【０１０７】
このように、スイッチ信号ＳＷ１がＯＮ状態（シャッターボタン６４が半押しの状態）になり、測距・測光処理が行われた後に、記録媒体２００或いは２１０が電子カメラ本体１００に装着されているか否かを確認し、いずれも装着されていない場合にはその旨の警告を行うことにより、操作者が記録媒体に画像を記録することができない事に気付かず誤って撮影動作を続行することを防止することができる。また、シャッターボタン６４が半押しの状態にされ、測距・測光処理が行われた後に、記録媒体２００或いは２１０のいずれも電子カメラ本体１００に装着されていない場合、画像表示部２８の画像表示がＯＦＦ状態に設定されていても、これをＯＮ状態に切り換えて警告を表示することにより、操作者が記録媒体に画像を記録することができない事に気付かず誤って撮影動作を続行することを防止することができる。一般的に、ＴＦＴ-ＬＣＤ等で構成される画像表示部２８は情報出力部５４の表示素子よりも大型であるため、画像表示部２８を利用して警告を発することにより、操作者への警告を効果的に行うことができる。
【０１０８】
ステップＳ１４５では、スイッチ信号ＳＷ２がＯＮ状態、即ち、撮影指示状態であるか否かを確認し、スイッチ信号ＳＷ２がＯＦＦ状態であればステップＳ１６０に進む。そして、ステップＳ１６０において、スイッチ信号ＳＷ１がＯＮ状態であるか否かを確認し、ＯＦＦ状態であればステップＳ１０３に戻り、ＯＮ状態であればステップＳ１４５に戻る。
【０１０９】
一方、スイッチ信号ＳＷ２がＯＮ状態、即ち、撮影が指示されたと判断した場合は、ステップＳ１７１において、システム制御回路５０は、システム制御回路５０の内部メモリ或いはメモリ５２に記憶されている画像表示フラグの状態を確認し、画像表示フラグが設定されている場合はステップＳ１７３に進む。
【０１１０】
一方、画像表示フラグが解除されている場合は、ステップＳ１７２において、システム制御回路５０は、記録媒体着脱検知部９８に問合わせることにより、記録媒体２００或いは２１０が電子カメラ本体１００に装着されているか否かを確認し、いずれかが装着されていると判断した場合はステップＳ１７５に進む。
【０１１１】
一方、記録媒体２００或いは２１０のいずれも電子カメラ本体１００に装着されていないと判断した場合は、システム制御回路４０は、ステップＳ１７２において、画像表示部２８への画像表示をＯＮ状態に設定し、ステップＳ１７４に進む。
【０１１２】
ステップＳ１７４では、システム制御回路５０は、画像表示部２８の表示状態を固定色表示状態に設定してステップＳ１７５に進む。固定色表示状態では、撮像素子１４、Ａ／Ｄ変換器１６、画像処理回路２０及びメモリ制御回路２２を介して画像表示メモリ２４に書き込まれた画像データの代わりに、固定色の画像データをメモリ制御回路２２及びＤ／Ａ変換器２６を介して画像表示部２８に供給し、電子ファインダーとしての画像表示部２８に固定色の映像（警告画像）を表示する。
【０１１３】
ステップＳ１７５では、システム制御回路５０は、記録媒体着脱検知部９８に問合わせることにより、記録媒体２００或いは２１０が電子カメラ本体１００に装着されているか否かを確認し、いずれかが装着されていると判断した場合はステップＳ１８１に進む。
【０１１４】
一方、記録媒体２００或いは２１０のいずれも電子カメラ本体１００に装着されていないと判断した場合は、ステップＳ１７６において、システム制御回路５０は、情報出力部５４及び／或いは画像表示部２８を利用して表示や音声により記録媒体２００或いは２１０のいずれも電子カメラ本体１００に装着されていないことを操作者に警告し、ステップＳ１８１に進む。
【０１１５】
このように、スイッチ信号ＳＷ２がＯＮ状態、即ち、撮影が指示された際に、記録媒体２００或いは２１０が電子カメラ本体１００に装着されているか否かを確認し、いずれも装着されていない場合はその旨を操作者に警告することにより、操作者が記録媒体に画像を記録することができない事に気付かず誤って撮影動作を続行することを防止することができる。また、撮影が指示された際に、記録媒体２００或いは２１０のいずれも電子カメラ本体１００に装着されていない場合、画像表示部２８の画像表示がＯＦＦ状態に設定されている場合であっても、これをＯＮ状態に切り換えて警告表示を行うことにより、操作者が記録媒体に画像を記録することができない事に気付かず誤って撮影動作を続行することを防止することができる。一般的に、ＴＦＴ-ＬＣＤ等で構成される画像表示部２８は情報出力部５４よりも大型であるため、画像表示部２８を利用して操作者に警告を発することにより、操作者への警告を効果的に行うことができる。
【０１１６】
ステップＳ１８１では、システム制御回路５０は、撮像素子１４、Ａ／Ｄ変換器１６、画像処理回路２０及びメモリ制御回路２２を介して、或いは、画像処理回路２０を介さずにＡ／Ｄ変換器１６及びメモリ制御回路２２を介して、メモリ３０に撮影に係る画像データを書き込む露光処理、及び、メモリ制御回路２２の他必要に応じて画像処理回路２０を用いて、メモリ３０に書き込まれた画像データを読み出して各種処理を行う現像処理からなる撮影処理を実行する。この撮影処理（ステップＳ１８１）の詳細は図６を参照して後述する。
【０１１７】
ステップＳ１８２では、システム制御回路５０は、撮影処理（ステップＳ１８１）によってメモリ３０に書き込まれた画像データを読み出して、メモリ制御回路２２を介して画像表示メモリ２４に転送する表示画像処理を実行する。この表示画像処理（ステップＳ１８２）の詳細は図７を参照して後述する。
【０１１８】
ステップＳ１８３では、システム制御回路５０は、システム制御回路５０の内部メモリ或いはメモリ５２に記憶されている画像表示フラグの状態を確認し、画像表示フラグが設定されている場合はステップＳ１８７に進む。この場合は、撮影中も画像表示部２８が常に電子ファインダーとして利用され、撮影直後のクイックレビュー表示も行われる。
【０１１９】
一方、画像表示フラグが解除されている場合は、ステップＳ１８４において、システム制御回路５０は、記録媒体着脱検知部９８に問合わせることにより、記録媒体２００或いは２１０が電子カメラ本体１００に装着されているか否かを確認し、いずれかが装着されていると判断した場合はステップＳ１８５に進み、いずれも装着されていないと判断した場合はステップＳ１８６に進む。
【０１２０】
ステップＳ１８５では、システム制御回路５０は、システム制御回路５０の内部メモリ或いはメモリ５２に記憶されているクイックレビューフラグの状態を確認し、クイックレビューフラグが設定されていない場合は、画像表示部２８をＯＦＦの状態に維持したままステップＳ１８９に進む。この場合は、撮影後においても画像表示部２８はＯＦＦ状態であり、クイックレビュー表示も行われない。これは、例えば、光学ファインダー１０４を利用して撮影を連続的に行う場合のように、撮影直後の撮影画像の確認が不要である場合に好適な使用方法であり、省電力を重視する使用方法でもある。
【０１２１】
一方、クイックレビューフラグが設定されている場合は、システム制御回路５０は、ステップＳ１８６において画像表示部２８の画像表示をＯＮ状態に設定し、ステップＳ１８７において、画像表示部２８を利用してクイックレビュー表示を行う。このように、画像表示部２８の画像表示をＯＦＦ状態に設定した場合においても、クイックレビューのＯＮ／ＯＦＦスイッチ７２によりクイックレビュー機能が設定されている場合は、撮影直後に自動的に撮影画像が画像表示部２８に再生される。これは、省電力と撮影画像の確認との両立を図る使用方法である。
【０１２２】
ステップＳ１８８では、システム制御回路５０は、記録媒体着脱検知部９８に問合わせることにより、記録媒体２００或いは２１０が電子カメラ本体１００に装着されているか否かを確認し、いずれかが装着されていると判断した場合はステップＳ１８９に進む。
【０１２３】
一方、記録媒体２００或いは２１０のいずれも電子カメラ本体１００に装着されていないと判断した場合は、情報出力部５４及び／或いは画像表示部２８を利用して表示や音声により記録媒体２００或いは２１０のいずれも電子カメラ本体１００に装着されていないことを操作者に警告し、ステップＳ１５１に進む。
【０１２４】
このように、スイッチ信号ＳＷ２がＯＮ状態にされ、撮影処理（ステップＳ１８１）、表示画像処理（ステップＳ１８２）が行われた後に、記録媒体２００或いは２１０が電子カメラ本体１００に装着されているか否かを確認し、いずれも装着されていない場合はその旨を操作者に警告することにより、操作者が記録媒体に画像を記録することができない事に気付かず誤って撮影動作を続行することを防止することができる。また、スイッチ信号ＳＷ２がＯＮ状態にされ、撮影処理（ステップＳ１８１）、表示画像処理（ステップＳ１８２）が行われた後に、記録媒体２００或いは２１０が電子カメラ本体１００に装着されているか否かを確認し、いずれも装着されていない場合、画像表示部２８の画像表示がＯＦＦ状態に設定されている場合であっても、これをＯＮ状態に切り換えて警告表示を行うことにより、操作者が記録媒体に画像を記録することができない事に気付かず誤って撮影動作を続けることを防止することができる。一般的に、ＴＦＴ-ＬＣＤ等で構成される画像表示部２８は情報出力部５４よりも大型であるため、画像表示部２８を利用して操作者に警告を発することにより、操作者への警告を効果的に行うことができる。
【０１２５】
ステップＳ１８９では、システム制御回路５０は、メモリ３０に書き込まれた撮影画像データを読み出して、メモリ制御回路２２の他必要に応じて画像処理回路２０を用いて各種画像処理を行い、また、圧縮・伸長回路３２を用いて、設定したモードに応じて画像圧縮処理を行う。この圧縮処理(ステップＳ１８９）の詳細は図８を参照して後述する。
【０１２６】
ステップＳ１９０では、システム制御回路５０は、インターフェース９０或いは９４及びコネクタ９２或いは９６を介して、メモリカードやコンパクトフラッシュカード等の記録媒体２００或いは２１０に画像データを記録し、ステップＳ１５１に進む。なお、画像表示部２８がＯＮ状態の場合は、記録媒体２００或いは２１０に対して画像データを書き込んでいる間、書き込み動作中であることを示す情報、例えば「ＢＵＳＹ」のような文字列を画像表示部２８に表示してもよい。また、情報出力部５４においても、例えばＬＥＤを点滅させることにより、記録媒体に対する画像データの書き込み動作中であることを表示してもよい。
【０１２７】
このように、記録媒体２００或いは２１０が電子カメラ本体１００に装着されている場合は、圧縮処理（ステップＳ１８９）及び記録処理(ステップＳ１９０）を順次実行して、記録媒体２００或いは２１０に撮影に係る画像データを順次記録することができる。
【０１２８】
ステップＳ１５１では、システム制御回路５０は、スイッチ信号ＳＷ２がＯＮ状態、即ち、撮影の指示が継続しているか否かを確認し、スイッチ信号ＳＷ２がＯＮ状態であれば、ステップＳ１５２において、システム制御回路５０は、システム制御回路５０の内部メモリ或いはメモリ５２に記憶されている連写フラグの状態を確認し、連写フラグが設定されている場合は、ステップＳ１８１に戻り、次の撮影を行う。
【０１２９】
一方、連写フラグが設定されていない場合は、スイッチ信号ＳＷ２がＯＦＦ状態に復帰するまで、即ち、撮影指示が解除されるまで、ステップＳ１５１及びＳ１５２の処理を繰り返す。
【０１３０】
このように、この実施の形態では、撮影直後にクイックレビュー表示を行うように設定されている場合において、記録処理（ステップＳ１９０）或いは警告処理(ステップＳ１９１）が終了した際にスイッチ信号ＳＷ２がＯＮ状態（撮影指示状態）であれば、スイッチ信号ＳＷ２がＯＦＦ状態に復帰するまで画像表示部２８におけるクイックレビュー表示を継続するため、操作者は、撮影画像の確認を入念に行うことができる。
【０１３１】
一方、ステップＳ１５１において、スイッチ信号ＳＷ２がＯＦＦ状態であると判断した場合は、ステップＳ１５３において、所定のミニマムレビュー時間が経過するのを待った後にステップＳ１５４に進む。なお、このミニマムレビュー時間は、固定値としてもよいし、操作者が任意に設定することができるように構成してもよい。
【０１３２】
このように、この実施の形態では、画像表示部２８におけるクイックレビュー表示を所定の時間継続することにより、操作者が撮影画像の確認を確実に行うことを可能とすると共に、長時間にわたって不必要にクイックレビュー表示を継続することによって次の撮影チャンスが失われることを防止する。
【０１３３】
ステップＳ１５４では、システム制御回路５０は、画像表示フラグの状態を確認し、画像表示フラグが設定されている場合はステップＳ１５７に進み、設定されていない場合はステップＳ１５６に進む。
【０１３４】
ステップＳ１５７では、システム制御回路５０は、画像表示フラグの状態に拘らず、画像表示部２８の表示状態をスルー表示状態に設定して、ステップＳ１５８に進む。これにより、画像表示部２８におけるクイックレビュー表示によって撮影画像を操作者が確認した後に、画像表示部２８は、次の撮影のためにスルー表示状態になる。
【０１３５】
ステップＳ１５５では、ステム制御回路５０は、記録媒体着脱検知部９８に問合わせることにより、記録媒体２００或いは２１０が電子カメラ本体１００に装着されているか否かを確認し、いずれかが装着されている場合は、ステップＳ１５６において、画像表示部２８の画像表示をＯＦＦ状態に設定して、ステップＳ１５８に進む。この場合、画像表示部２８におけるクイックレビュー表示によって操作者が撮影画像を確認した後に画像表示部２８がＯＦＦ状態にされるため、電力消費量の大きい画像表示部２８やＤ／Ａ変換器２６等による電力消費が削減される。
【０１３６】
一方、記録媒体２００或いは２１０のいずれも電子カメラ本体１００に装着されていない場合は、ステップＳ１５７において、システム制御回路５０は、画像表示フラグの状態に拘らず、画像表示部２８の画像表示をスルー表示状態に設定する。
【０１３７】
ステップＳ１５８では、システム制御回路５０は、記録媒体着脱検知部９８に問合わせることにより、記録媒体２００或いは２１０が電子カメラ本体１００に装着されているか否かを確認し、いずれかが装着されていると判断した場合はステップＳ１６０に進む。
【０１３８】
一方、記録媒体２００或いは２１０のいずれも電子カメラ本体１００に装着されていないと判断した場合は、ステップＳ１５９において、システム制御回路５０は、情報出力部５４及び／或いは画像表示部２８を利用して表示や音声により記録媒体２００或いは２１０のいずれも電子カメラ本体１００に装着されていないことを警告し、ステップＳ１６０に進む。
【０１３９】
このように、スイッチ信号ＳＷ２がＯＦＦ状態にされた際に、記録媒体２００或いは２１０が電子カメラ本体１００に装着されいるか否かを確認し、いずれも装着されていない場合はその旨の警告を行うことにより、操作者が記録媒体に画像を記録することができいない事に気付かず誤って撮影動作を続行することを防止することができる。また、スイッチ信号ＳＷ２がＯＦＦ状態にされた際に、記録媒体２００或いは２１０のいずれも電子カメラ本体１００に装着されていない場合、画像表示フラグが解除されている場合においても、画像表示部２８の画像表示をＯＦＦ状態に設定することなくスルー表示状態に設定して警告を表示することにより、操作者が記録媒体に画像を記録することができいない事に気付かず誤って撮影動作を続行することを防止することができる。一般的に、ＴＦＴ-ＬＣＤ等で構成される画像表示部２８は情報出力部５４よりも大型であるため、画像表示部２８を利用して操作者に警告を発することにより、操作者への警告を効果的に行うことができる。
【０１４０】
ステップＳ１６０では、スイッチ信号ＳＷ１がＯＮ状態であるか否かを確認し、ＯＮ状態であればステップＳ１４５に進んで次の撮影に備え、ＯＦＦ状態であれば一連の撮影動作を終えてステップＳ１０３に戻る。
【０１４１】
以上説明したように、この実施の形態によれば、記録媒体が装着されていない状態で撮影に関する動作を実行した場合に、情報出力部５４及び／或いは画像表示部２８を利用して所定の警告を行うことにより、記録媒体が未装着のままで失敗撮影がなさることを防止することができる。
【０１４２】
また、この実施の形態によれば、画像表示部２８がＯＦＦ状態であっても、記録媒体が未装着のまま撮影動作を実行した場合に、画像表示部２８をＯＮ状態に切り換えて画像表示部２８を利用して所定の警告を行うことにより、記録媒体が未装着のままで失敗撮影がなされることを防止することができる。
【０１４３】
さらに、この実施の形態によれば、シャッターボタン６４が押されて撮影動作に入った際に記録媒体が未装着の状態である場合に、画像表示部２８がＯＦＦ状態であっても、これをＯＮ状態に切り換えた後に、画像表示部２８により、スルー画像、フリーズ画像、固定色画像、クイックレビュー画像等の各画像表示を行うと共に所定の警告を行うことにより、記録媒体が未装着のままで失敗撮影がなされることを防止することができる。
【０１４４】
図５は、測距・測光処理（図３のステップＳ１３８）の詳細を示すフローチャートである。ステップＳ２０１において、システム制御回路５０は、撮像素子１４から出力される電荷信号をＡ／Ｄ変換器１６によりデジタル画像データに変換して画像処理回路２０に逐次読み込む。
【０１４５】
この逐次読み込まれた画像データを利用して、画像処理回路２０は、ＴＴＬ（スルー・ザ・レンズ）方式のＡＥ（自動露出）処理、ＥＦ（フラッシュプリ発光）処理及びＡＦ（オートフォーカス）処理のための所定の演算を行う。なお、ここ演算処理は、撮影に係る全画素のうち必要な部分を抽出した画素を対象としてなされる。これにより、ＴＴＬ方式のＡＥ、ＥＦ、ＡＷＢ及びＡＦの各処理において、例えば、中央重点モード、平均モード、評価モード等の各モード毎に最適な演算を行うことができる。
【０１４６】
ステップＳ２０２では、システム制御回路５０は、画像処理回路２０による演算結果に基づいて露出（ＡＥ）が適正であるか否かを判断し、露出（ＡＥ）が適正でないと判断した場合にはステップＳ２０３に進み、露光制御部３４０を用いてＡＥ制御を行う。
【０１４７】
ステップＳ２０４では、ＡＥ制御で得られた測定データを用いて、システム制御回路５０は、フラッシュが必要か否かを判断し、フラッシュが必要であれば、ステップＳ２０５においてフラッシュフラグをセットし、フラッシュ４８を充電する。
【０１４８】
ＡＥ制御を繰り返した後、ステップＳ２０２において、露出（ＡＥ）が適正であると判断した場合は、システム制御回路５０は、測定データ及び／或いは設定パラメータをシステム制御回路５０の内部メモリ或いはメモリ５２に記憶する。
【０１４９】
ステップＳ２０６では、画像処理回路２０による演算結果及びＡＥ制御で得られた測定データを用いて、システム制御回路５０は、ホワイトバランス（ＡＷＢ）が適正であるか否かを判断し、適正でなければステップＳ２０７において、画像処理回路２０を用いて色処理のパラメータを調節してＡＷＢ制御を行う。
【０１５０】
ＡＷＢ制御を繰り返した後、ステップＳ２０６において、ホワイトバランス（ＡＷＢ）が適正であると判断した場合は、システム制御回路５０は、測定データ及び／或いは設定パラメータをシステム制御回路５０の内部メモリ或いはメモリ５２に記憶する。
【０１５１】
ステップＳ２０８では、ＡＥ制御及びＡＷＢ制御で得られた測定データを用いて、システム制御回路５０は、焦点が撮像面に合っているか否かを判断し、焦点が合っていなければステップＳ２０９において、焦点制御回路４２を用いてＡＦ制御を行う（Ｓ２０９）。
【０１５２】
ＡＦ制御を繰り返した後、ステップＳ２０８において、焦点が撮像面に合っていると判断した場合（合焦）は、システム制御回路５０は、測定データ及び／或いは測定パラメータをシステム制御回路５０の内部メモリ或いはメモリ５２に記憶し、測距・測光処理ルーチン(ステップＳ１３８）を終了する。
【０１５３】
図６は、撮影処理（図４のステップＳ１８１）の詳細を示すフローチャートである。ステップＳ３０１において、システム制御回路５０は、その内部メモリ或いはメモリ５２に記憶されている測光データに従って、露光制御部３４０に命じて、絞り機能を有するシャッター３１２を絞り値に応じて開放し、ステップＳ３０２において撮像素子１４の露光を開始する。
【０１５４】
ステップＳ３０３では、システム制御回路５０は、フラッシュ・フラグの状態を参照してフラッシュ４８が必要であるか否かを判断し、必要な場合はにはステップＳ３０４においてフラッシュを発光させる。
【０１５５】
ステップＳ３０５では、システム制御回路５０は、測光データに従って撮像素子１４の露光終了を待ち、その後、シャッター３１２を閉じさせる。
【０１５６】
ステップＳ３０７では、撮像素子１４から電荷信号を読み出して、これをＡ／Ｄ変換器１６、画像処理回路２０及びメモリ制御回路２２を介して、或いは、画像処理回路２０を介さずにＡ／Ｄ変換器１６及びメモリ制御回路２２を介して、撮影に係る画像データをメモリ３０に書込み、撮影処理ルーチン（ステップＳ１８１）を終了する。
【０１５７】
図７は、表示画像処理（図４のステップＳ１８２）の詳細を示すフローチャートである。ステップＳ４０１では、システム制御回路５０は、設定された撮影モードに応じてフレーム処理を行う必要があるか否かを判断し、その必要があればステップＳ４０２に進み、必要がなければステップＳ４０４に進む。
【０１５８】
ステップＳ４０２では、システム制御回路５０は、メモリ制御回路５０の他必要に応じて画像処理回路２０を用いて、メモリ３０に書き込まれた画像データを読み出して垂直加算処理を実行し、ステップＳ４０３では色処理を実行し、処理後の画像データをメモリ３０に書き込む。
【０１５９】
ステップＳ４０４では、システム制御回路５０は、メモリ３０から画像データを読み出し、これをメモリ制御回路２２を介して画像表示メモリ２４に転送し、表示画像処理ルーチン(ステップＳ１８２）を終了する。
【０１６０】
図８は、圧縮処理（図４のステップＳ１８９）の詳細を示すフローチャートである。ステップＳ５０１では、システム制御回路５０は、メモリ制御回路２２の他必要に応じて画像処理回路２０を用いて、メモリ３０に書き込まれた画像データを読み出して、各画素の縦横の比率（縦横画素比率）が１：１になるように画素を補間する画素正方化処理を行った後、メモリ３０に処理後の画像データを書き込む。
【０１６１】
ステップＳ５０２では、メモリ３０から画像データを読み出して、圧縮・伸長回路３２を用いて、設定されたモードに応じて画像を圧縮し、圧縮処理ルーチン(ステップＳ１８９）を終了する。
【０１６２】
［第２の実施の形態］
この実施の形態は、第１の実施の形態に係る電子カメラにおける制御手順を変更したものである。図９乃至図１１並びに図５乃至図８に、この実施の形態に係る制御手順が示されている。なお、図５乃至図８に示す処理に関しては、第１の実施の形態と同様であるため説明を省略する。
【０１６３】
以下、図９乃至図１１を参照しながら、この実施の形態に係る電子カメラ本体１００の動作を説明する。電池交換等がなされて電源が投入されると、ステップＳ６０１において、システム制御回路５０は、フラグや制御変数等を初期化し、次いで、ステップＳ６０２において、画像表示部２８の画像表示をＯＦＦ状態に設定する。
【０１６４】
ステップＳ６０３では、システム制御回路５０は、モードダイアル６０の設定位置を確認し、モードダイアル６０が電源ＯＦＦの位置に設定されている場合は、各表示部の表示を終了状態に変更し、フラグや制御変数等を含む必要なパラメータや設定値及び設定モードを不揮発性メモリ５６に記録し、電源制御部８０に命じて、画像表示部２８を含めて電子カメラ本体１００の各部の不要な電源を遮断するための所定の終了処理を行った後にステップＳ６０３に戻る。
【０１６５】
また、ステップＳ６０３において、モードダイアル６０が撮影モードの位置に設定されている場合はステップＳ６０６に進む。また、ステップＳ６０３において、モードダイアル６０がその他のモードの位置に設定されている場合は、ステップＳ６０４において、システム制御回路５０は選択されたモードに応じた処理を実行した後にステップＳ６０３に戻る。
【０１６６】
ステップＳ６０６では、システム制御回路５０は、電源制御部８０により電池等により構成される電源部８６の残容量や動作状況が電子カメラ本体１００の動作に支障があるか否かを否かを判断する。そして、動作に問題があると判断した場合は、システム制御回路５０は、ステップＳ６０７において、情報出力部５４を用いて表示や音声により所定の警告を発した後にステップＳ６０３に戻る。なお、画像表示部２８の画像表示がＯＮ状態である場合は、画像表示部２８をも利用して警告を発してもよい。
【０１６７】
また、ステップＳ６０６において、電源部８６の残容量が所定の閾値より多いと判断した場合は、ステップＳ６０９において、システム制御回路５０は、電池残容量を示すフラグを、電子カメラ本体１００の動作を継続するために十分であることを示すＨに設定すると共に表示設定を「電池残容量Ｈ」に設定して、ステップＳ６１０に進む。
【０１６８】
また、ステップＳ６０６において、電源部８６の残容量が所定の閾値より少ないと判断した場合は、電池残容量を示すフラグを、電子カメラ本体１００の動作を継続する上で電源部８６の残容量が残り少ない状態であることを示すＬに設定すると共に表示設定を「電池残容量Ｌ」に設定して、ステップＳ６１０に進む。
【０１６９】
なお、電池残容量を示すフラグの状態は、例えば、システム制御回路５０の内部メモリ或いはメモリ５２に記憶される。
【０１７０】
ステップＳ６１０では、システム制御回路５０は、記録媒体着脱検知部９８に問合わせることにより、記録媒体２００或いは２１０が電子カメラ本体１００に装着されているか否かを確認し、いずれかが装着されていると判断した場合はステップＳ６１１において表示設定を「記録媒体有り」に設定し、いずれも装着されていないと判断した場合はステップＳ６１２において表示設定を「記録媒体無し」に設定する。
【０１７１】
ステップＳ６１３では、システム制御回路５０は、情報出力部５４を利用して、表示設定の内容に基づいて、表示や音声により電池残容量や記録媒体の装着に関する情報を含む電子カメラ本体１００の各種設定状態の表示を行う。なお、画像表示部２８の画像表示がＯＮ状態である場合は、画像表示部２８をも利用して電子カメラ本体１００の各種設定状態の表示を行ってもよい。
【０１７２】
ステップＳ６１４では、システム制御回路５０は、クイックレビューＯＮ／ＯＦＦスイッチ９８の設定状態を確認し、クイックレビューがＯＮ状態に設定されていると判断した場合は、ステップＳ６１５において、クイックレビューフラグを設定し、一方、クイックレビューがＯＦＦ状態に設定されていると判断した場合は、ステップＳ６１６において、クイックレビューフラグを解除する。
【０１７３】
なお、クイックレビューフラグの状態は、例えば、システム制御回路５０の内部メモリ或いはメモリ５２に記憶される。
【０１７４】
ステップＳ６１７では、システム制御回路５０は、画像表示部２８への画像の表示を設定するＯＮ／ＯＦＦスイッチ６６の設定状態を確認し、ＯＮ状態に設定されていると判断した場合は、ステップＳ６１８において画像表示フラグを設定し、ステップＳ６１９において、、撮像した画像を逐次表示するスルー表示状態に設定して、ステップＳ６３１に進む。
【０１７５】
スルー表示状態においては、撮像素子１４、Ａ／Ｄ変換器１６、画像処理回路２０及びメモリ制御回路２２を介して画像表示メモリ２４に逐次書き込まれた画像データを、メモリ制御回路２２及びＤ／Ａ変換器２６を介して画像表示部２８に逐次転送して画像表示部２８に画像を表示することにより、画像表示部２８を電子ファインダーとして機能させる。
【０１７６】
ステップＳ６１７において、画像表示に関するＯＮ／ＯＦＦスイッチ６６がＯＦＦ状態に設定されていると判断した場合は、ステップＳ６２１において、画像表示フラグを解除し、ステップＳ６２２において、画像表示部２８の画像表示をＯＦＦ状態に設定して、ステップＳ６３１に進む。
【０１７７】
画像表示部２８への画像表示がＯＦＦ状態である場合は、操作者は、画像表示部２８による電子ファインダー機能ではなく、光学ファインダー１０４を利用して撮影を行う。この場合、電力消費量の大きい画像表示部２８やＤ／Ａ変換器２６６等における電力消費を削減することができる。
【０１７８】
なお、画像表示フラグの状態は、例えば、システム制御回路５０の内部メモリ或いはメモリ５２に記憶される。
【０１７９】
ステップＳ６３１では、スイッチ信号ＳＷ１がＯＮ状態（シャッターボタン６４が半押しの状態）であるか否かを確認し、ＯＦＦ状態であればステップＳ６０３に戻る。
【０１８０】
一方、スイッチ信号ＳＷ１がＯＮ状態であれば、システム制御回路５０は、ステップＳ６３２において、システム制御回路５０の内部メモリ或いはメモリ５２に記憶されている画像表示フラグの状態を確認し、画像表示フラグが設定されている場合はステップＳ６３５に進み、画像表示フラグが解除されている場合はステップＳ６３８に進む。
【０１８１】
ステップＳ６３５では、システム制御回路５０は、画像表示部２８の表示状態をフリーズ表示状態に設定してステップＳ６３８に進む。フリーズ表示状態では、撮像素子１４、Ａ／Ｄ変換器１６、画像処理回路２０及びメモリ制御回路２２を介して画像表示メモリ２４内の画像データ書き換えることを禁止し、直前に画像表示メモリ２４に書込まれた画像データをメモリ制御回路２２及びＤ／Ａ変換器２６を介して画像表示部２８により転送することにより、電子ファインダーとしての画像表示部２８にフリーズした映像を表示する。
【０１８２】
ステップＳ６３８では、システム制御回路５０は、焦点制御部３４２等を制御して撮影レンズ３１０の焦点を撮像素子１４の撮像面に合わせると共に露光制御部３４０等を制御して測光処理を行って絞り値及びシャッター時間を決定する。なお、測光処理においては、必要であればフラッシュの設定も行う。この測距・測光処理(ステップＳ６３８）の詳細は前述の通りである（図５参照）。
【０１８３】
ステップＳ６３９では、システム制御回路５０は、システム制御回路５０の内部メモリ或いはメモリ５２に記憶されている画像表示フラグの状態を確認し、画像表示フラグが解除されている場合はステップＳ６４５に進む。
【０１８４】
一方、画像表示フラグが設定されている場合は、ステップＳ６４２において、システム制御回路５０は、画像表示部２８の表示状態をスルー表示状態に設定してステップＳ６４５に進む。なお、ステップＳ６４２におけるスルー表示状態は、ステップＳ６２０におけるスルー表示状態と同じ動作状態である。
【０１８５】
ステップＳ６４５では、スイッチ信号ＳＷ２がＯＮ状態であればステップＳ６６０に進む。そして、ステップＳ６６０において、スイッチ信号ＳＷ１がＯＮ状態であるか否かを確認し、ＯＦＦ状態であればステップＳ６０３に戻り、ＯＮ状態であればステップＳ６４５に戻る。
【０１８６】
一方、スイッチ信号ＳＷ２がＯＮ状態、即ち、撮影が指示されたと判断した場合は、ステップＳ６７１において、システム制御回路５０は、システム制御回路５０の内部メモリ或いはメモリ５２に記憶されている画像表示フラグの状態を確認し、画像表示フラグが設定されている場合はステップＳ６７４に進み、画像表示フラグが解除されている場合はステップＳ６８１に進む。
【０１８７】
ステップＳ６７４では、システム制御回路５０は、画像表示部２８の表示状態を固定色表示状態に設定してステップＳ６８１に進む。固定色表示状態では、撮像素子１４、Ａ／Ｄ変換器１６、画像処理回路２０及びメモリ制御回路２２を介して画像表示メモリ２４に書き込まれた撮影画像データの代わりに、固定色の画像データをメモリ制御回路２２及びＤ／Ａ変換器２６を介して画像表示部２８に供給し、電子ファインダーとしての画像表示部２８に固定色の映像を表示する。
ステップＳ６８１では、システム制御回路５０は、撮像素子１４、Ａ／Ｄ変換器１６、画像処理回路２０及びメモリ制御回路２２を介して、或いは、画像処理回路２０を介さずにＡ／Ｄ変換器１６及びメモリ制御回路２２を介して、メモリ３０に撮影に係る画像データを書き込む露光処理、及び、メモリ制御回路２２の他必要に応じて画像処理回路２０を用いて、メモリ３０に書き込まれた画像データを読み出して各種処理を行う現像処理からなる撮影処理を実行する。この撮影処理（ステップＳ６８１）の詳細は前述の通りである（図６参照）。
【０１８８】
ステップＳ６８２では、システム制御回路５０は、撮影処理(ステップＳ６８１）によってメモリ３０に書き込まれた画像データを読み出して、メモリ制御回路２２を介して画像表示メモリ２４に転送する表示画像処理を実行する。この表示画像処理(ステップＳ６８２）の詳細は前述の通りである（図７参照）。
【０１８９】
ステップＳ６８３では、システム制御回路５０は、システム制御回路５０の内部メモリ或いはメモリ５２に記憶されている画像表示フラグの状態を確認し、画像表示フラグが設定されている場合はステップＳ６８７に進む。この場合は、撮影中も画像表示部２８が常に電子ファインダーとして利用され、撮影直後のクイックレビュー表示も行われる。
【０１９０】
一方、画像表示フラグが解除されている場合は、ステップＳ１８４において、システム制御回路５０は、記録媒体着脱検知部９８に問合わせることにより、記録媒体２００或いは２１０が電子カメラ本体１００に装着されているか否かを確認し、いずれかが装着されていると判断した場合はステップＳ６８５に進み、いずれも装着されていないと判断した場合はステップＳ６８６に進む。
【０１９１】
ステップＳ６８５では、システム制御回路５０は、システム制御回路５０の内部メモリ或いはメモリ５２に記憶されているクイックレビューフラグの状態を確認し、クイックレビューフラグが設定されていない場合は、画像表示部２８をＯＦＦ状態に維持したままステップＳ６８９に進む。この場合は、撮影後においても画像表示部２８はＯＦＦ状態であり、クイックレビュー表示も行われない。これは、例えば、光学ファインダー１０４を利用して撮影を連続的に行う場合のように、撮影直後の撮影画像の確認が不要である場合に好適な使用方法であり、省電力を重視する使用方法でもある。
【０１９２】
一方、クイックレビューフラグが設定されている場合は、システム制御回路５０は、ステップＳ６８６において画像表示部２８の画像表示をＯＮ状態に設定し、ステップＳ６８７において、画像表示部２８を利用してクイックレビュー表示を行う。このように、画像表示部２８の画像表示をＯＦＦ状態に設定した場合においても、クイックレビューのＯＮ／ＯＦＦスイッチ７２によりクイックレビュー機能が設定されている場合は、撮影直後に自動的に撮影画像が画像表示部２８に再生される。これは、省電力と撮影画像の確認との両立を図る使用方法である。
【０１９３】
ステップＳ６８８では、システム制御回路５０は、記録媒体着脱検知部９８に問合わせることにより、記録媒体２００或いは２１０が電子カメラ本体１００に装着されているか否かを確認し、いずれかが装着されていると判断した場合はステップＳ６８９に進む。
【０１９４】
一方、記録媒体２００或いは２１０のいずれも電子カメラ本体１００に装着されていないと判断した場合は、情報出力部５４及び／或いは画像表示部２８を利用して表示や音声により、記録媒体２００或いは２１０のいずれも電子カメラ本体１００に装着されていないことを操作者に警告し、ステップＳ６５１に進む。
【０１９５】
このように、スイッチ信号ＳＷ２がＯＮ状態にされ、撮影処理(ステップＳ６８１）、表示画像処理（ステップＳ６８２）が行われた後に、記録媒体２００或いは２１０が電子カメラ本体１００に装着されているか否かを確認し、いずれも装着されていない場合はその旨を操作者に警告することにより、操作者が記録媒体に画像を記録することができない事に気付かず誤って撮影動作を続行することを防止することができる。また、スイッチ信号ＳＷ２がＯＮ状態にされ、撮影処理（ステップＳ６８１）、表示画像処理（ステップＳ６８２）が行われた後に、記録媒体２００或いは２１０が電子カメラ本体１００に装着されているか否かを確認し、いずれも装着されていない場合、画像表示部２８の画像表示がＯＦＦ状態に設定されている場合であっても、これをＯＮ状態に切り換えて警告表示を行うことにより、操作者が記録媒体に画像を記録することができない事に気付かず誤って撮影動作を続けることを防止することができる。一般的に、ＴＦＴ-ＬＣＤ等で構成される画像表示部２８は情報出力部５４よりも大型であるため、画像表示部２８を利用して操作者に警告を発することにより、操作者への警告を効果的に行うことができる。
【０１９６】
ステップＳ６８９では、システム制御回路５０は、メモリ３０に書き込まれた撮影画像データを読み出して、メモリ制御回路２２の他必要に応じて画像処理回路２０を用いて各種画像処理を行い、また、圧縮・伸長回路３２を用いて、設定したモードに応じて画像圧縮処理を行う。この圧縮処理（ステップＳ６８９）の詳細は前述の通りである（図８参照）。
【０１９７】
ステップＳ６９０では、システム制御回路５０は、インタフェース９０或いは９４及びコネクタ９２或いは９６を介して、メモリカードやコンパクトフラッシュカード等の記録媒体２００或いは２１０に画像データを記録し、ステップＳ６５１に進む。なお、画像表示部２８がＯＮ状態の場合は、記録媒体２００或いは２１０に対して画像データを書き込んでいる間、書き込み動作中であることを示す情報、例えば「ＢＵＳＹ」のような文字列を画像表示部２８に表示してもよい。また、情報出力部５４においても、例えばＬＥＤを点滅させることにより、記録媒体に対する画像データの書き込み動作中であることを表示してもよい。
【０１９８】
このように、記録媒体２００或いは２１０が電子カメラ本体１００に装着されている場合は、圧縮処理(ステップＳ６８９）及び記録処理(ステップＳ６９０）を順次実行して、記録媒体２００或いは２１０に撮影に係る画像データを順次記録することができる。
【０１９９】
ステップＳ６５１では、システム制御回路５０は、スイッチ信号ＳＷ２がＯＮ状態、即ち、撮影の指示が継続しているか否かを確認し、スイッチ信号ＳＷ２がＯＮ状態であれば、ステップＳ６５３において、システム制御回路５０は、システム制御回路５０の内部メモリ或いはメモリ５２に記憶されている連写フラグの状態を確認し、連写フラグが設定されている場合は、ステップＳ６８１に戻り、次の撮影を行う。
【０２００】
一方、連写フラグが設定されていない場合は、スイッチ信号ＳＷ２がＯＦＦ状態に復帰するまで、即ち、撮影指示が解除されるまで、ステップＳ６５１及びＳ６５２の処理を繰り返す。
【０２０１】
このように、この実施の形態では、撮影直後にクイックレビュー表示を行うように設定されている場合において、記録処理（ステップＳ６９０）或いは警告処理(ステップＳ６９１）が終了した際にスイッチ信号ＳＷ２がＯＦＦ状態に復帰するまで画像表示部２８におけるクイックレビュー表示を継続するため、操作者は、撮影画像の確認を入念に行うことができる。
【０２０２】
一方、ステップＳ６５１において、スイッチ信号ＳＷ２がＯＦＦ状態であると判断した場合は、ステップＳ６５３において、所定のミニマムレビュー時間が経過するのを待った後にステップＳ６５４に進む。なお、このミニマムレビュー時間は、固定値としてもよいし、操作者が任意に設定することができるように構成してもよい。
【０２０３】
このように、この実施の形態では、画像表示部２８におけるクイックレビュー表示を所定の時間継続することにより、操作者が撮影画像の確認を確実に行うことを可能にすると共に、長時間にわたって不必要にクイックレビュー表示を継続することによって次の撮影チャンスが失われることを防止する。
【０２０４】
ステップＳ６５４では、システム制御回路５０は、画像表示フラグの状態を確認し、画像表示フラグが設定されている場合が設定されている場合はステップＳ６５７に進み、設定されていない場合はステップＳ６５６に進む。
【０２０５】
ステップＳ６５７では、画像表示フラグの状態に拘らず、画像表示部２８の表示状態をスルー表示状態に設定して、ステップＳ６６０に進む。これにより、画像表示部２８におけるクイックレビュー表示によって撮影画像を操作者が確認した後に、画像表示部２８は、次の撮影のためにスルー表示状態になる。
【０２０６】
一方、ステップＳ６５６では、システム制御回路５０は、画像表示部２８の画像表示をＯＦＦ状態に設定して、ステップＳ６６０に進む。この場合、画像表示部２８におけるクイックレビュー表示によって操作者が撮影画像を確認した後に画像表示部２８がＯＦＦ状態にされるため、電力消費量の大きい画像表示部２８やＤ／Ａ変換器２６等による電力消費が削減される。
【０２０７】
ステップＳ６６０では、スイッチ信号ＳＷ１がＯＮ状態であるか否かを確認し、ＯＮ状態であればステップＳ６４５に進んで次の撮影に備え、ＯＦＦ状態であれば一連の撮影動作を終えてステップＳ６０３に戻る。
【０２０８】
以上のように、第２の実施の形態によれば、シャッターボタン６４が押されて撮影動作が実行された際に記録媒体が装着されていない場合には、画像表示部２８のＯＮ／ＯＦＦ状態に拘らず（ＯＦＦ状態である場合にはＯＮ状態に切り換える）、画像表示部２８に撮像に係る画像の表示（例えば、クイックレビュー表示等）を行うと共に所定の警告表示を行うことにより、操作者が記録媒体が未装着であることに気付かずに撮影を行うことを防止する。
【０２０９】
［その他］
上記の各実施の形態では、記録媒体が未装着である場合において、シャッターボタン６４の操作に応答して画像表示部２８或いは情報出力部５４を利用して操作者に対して警告を発するが、この警告を他の情報に応答して発してもよい。例えば、メインスイッチを兼ねるモードダイアル６０、画像表示のＯＮ／ＯＦＦスイッチ６６、クイックレビューのＯＮ／ＯＦＦスイッチ６８、操作部７０の各スイッチ、シャッターボタン６４に操作者が触れたことを検知するセンサ、操作者がグリップを握ったことを検知するセンサ、或いはこれらのスイッチやセンサの出力の組み合わせ等から供給される情報に基づいて、記録媒体が未装着である場合にその旨の警告を発することもできる。
【０２１０】
また、記録媒体が装着されているか否かを操作者が確認するためのスイッチを別に設けて、このスイッチの操作に応答して、記録媒体が未装着である場合にその旨の警告を発することもできる。
【０２１１】
また、上記の各実施の形態では、記録媒体が電子カメラ本体１００に装着されていない場合に警告を発するが、例えば、記録媒体が故障している場合、記録媒体に対する記録が禁止されている場合、記録媒体に空き領域がない場合等のように、記録媒体に対する記録ができない状態である場合にも、操作者に対して警告を発することも有効である。
【０２１２】
また、上記の各実施の形態では、レンズユニット３００が交換タイプであるものとして説明したが、レンズユニット３００と電子カメラ本体１００とが一体をなす構成であってもよいことは言うまでもない。また、電子カメラ本体１００は、複数のレンズユニット２００を装着可能な構成を有していてもよい。
【０２１３】
また、画像表示部２８をＯＦＦ状態にする場合、画像表示部２８を構成する全ての要素をＯＦＦ状態にしてもよいし、一部の要素をＯＦＦ状態にしてもよい。例えば、画像表示部２８の一部の要素のみをＯＦＦ状態にする構成を採用した場合においても、レンズユニット３００が電子カメラ本体１００から取り外された時に、画像表示部２８に不要な画像が表示されることを防止する機能を備えることができる。例えば、画像表示部２８をＬＣＤとバックライト部とで構成した場合、ＬＣＤをＯＮ状態に維持したままでバックライト部をＯＦＦ状態にすることにより、画像表示部２８に不要な画像が表示されることを防止することができる。
【０２１４】
また、上記の各実施の形態では、スルー表示とクイックレビュー表示を１つの画像表示部２８を利用して行うが、それぞれの表示を行うための別個の画像表示部を備えてもよい。この場合において、各画像表示部のＯＮ／ＯＦＦを、例えば画像表示のＯＮ／ＯＦＦスイッチ６６及びクイックレビューのＯＮ／ＯＦＦスイッチ６８の設定に応じて行う構成を採用することができる。また、画像表示のＯＮ／ＯＦＦスイッチ６６及びクイックレビューのＯＮ／ＯＦＦスイッチ６８を備えない構成、或いは、画像表示のＯＮ／ＯＦＦスイッチ６６及びクイックレビューのＯＮ／ＯＦＦスイッチ６８の一方を備えない構成を採用することもできる。
【０２１５】
また、記録媒体２００及び２１０は、ＰＣＭＣＩＡカードやコンパクトフラッシュ等のメモリカード、ハードディスク等の他、例えば、マイクロＤＡＴ、光磁気ディスク、ＣＤ−ＲやＣＤ−ＷＲ等の光ディスク、ＤＶＤ等の相変化型光ディスク等で構成することもできる。
【０２１６】
また、記録媒体２００及び２１０は、メモリカードやハードディスク等の複数種類のメモリデバイスを一体化した複合媒体であってもよい。この場合において、メモリデバイスの一部を複合媒体から取り外し可能な構成を採用することもできる。
【０２１７】
また、上記の各実施の形態では、記録媒体２００及び２１０と電子カメラ本体１００とが別体をなし、必要に応じて記録媒体２００及び２１０を着脱することができるが、いずれか一方或いは双方が電子カメラ本体１００に固定的に接続されていてもよい。ここで、全ての記録媒体が電子カメラ装置１００に固定されている場合、記録媒体が装着されているか否かを確認して未装着の場合に操作者に警告を発するという態様ではなく、全ての記録媒体が、例えば、故障状態、記録の禁止状態、空き領域が無い状態等の理由で記録不能な状態にある場合に、その旨の警告を行う。
【０２１８】
また、電子カメラ本体１００に装着可能なメモリ媒体の個数は、単数であってもよいし、複数であってもよい。
【０２１９】
また、本発明は、複数の機器（例えば、レンズユニット、画像処理部、画像記録部など）から構成されるシステムに適用しても、一つの機器からなる装置（例えば、単体のカメラ）に適用してもよい。
【０２２０】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【０２２１】
この場合、記憶媒体から読出されたプログラムコード自体が前述した実施形態の機能を実現することになり、そのプログラムコードを記憶した記憶媒体は本発明を構成することになる。
【０２２２】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【０２２３】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０２２４】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０２２５】
【発明の効果】
本発明によれば、例えば、記録媒体に画像を記録することができない状態で撮影動作がなされることによる画像の記録の失敗を防止することができる。
【０２２６】
【図面の簡単な説明】
【図１】本発明の好適な実施の形態に係る電子カメラの概略構成を示す図である。
【図２】第１の実施の形態に係る電子カメラ本体の主ルーチンのフローチャートである。
【図３】第１の実施の形態に係る電子カメラ本体の主ルーチンのフローチャートである。
【図４】第１の実施の形態に係る電子カメラ本体の主ルーチンのフローチャートである。
【図５】測距・測光処理の詳細を示すフローチャートである。
【図６】撮影処理の詳細を示すフローチャートである。
【図７】表示画像処理の詳細を示すフローチャートである。
【図８】圧縮処理の詳細を示すフローチャートである。
【図９】第２の実施の形態に係る電子カメラ本体の主ルーチンのフローチャートである。
【図１０】第２の実施の形態に係る電子カメラ本体の主ルーチンのフローチャートである。
【図１１】第２の実施の形態に係る電子カメラ本体の主ルーチンのフローチャートである。
【符号の説明】
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４８  フラッシュ
５０  システム制御回路
５２  メモリ
５４  情報出力部
５６  不揮発性メモリ
６０  モードダイアルスイッチ
６２  シャッタースイッチ
６４  シャッターボタン
６６  画像表示のＯＮ／ＯＦＦスイッチ
６８  クイックレビューのＯＮ／ＯＦＦスイッチ
７０  操作部
８０  電源制御部
８２  コネクタ
８６  電源部
９０  インタフェース
９２  コネクタ
９４  インタフェース
９６  コネクタ
９８  記録媒体着脱検知部
１００  画像処理装置
１０４  光学ファインダー
１０６  レンズマウント
１１０  通信部
１１２  コネクタ（またはアンテナ）
１２０  インタフェース
１２２  コネクタ
１２４  レンズ着脱検知部
１２６  レンズ着脱スイッチ
２００  記録媒体
２０２  記録部
２０４  インタフェース
２０６  コネクタ
２１０  記録媒体
２１２  記録部
２１４  インタフェース
２１６  コネクタ
３００  レンズユニット
３０６  レンズマウント
３１０  撮影レンズ
３１２  シャッター
３２０  インタフェース
３２２  コネクタ
３４０  露光制御部
３４２  焦点制御部
３４４  ズーム制御部
３５０  レンズ制御回路
ＳＷ１  スイッチ信号
ＳＷ２  スイッチ信号
【図１】
0003976894.tif 000002
【図２】
0003976894.tif 000003
【図３】
0003976894.tif 000004
【図４】
0003976894.tif 000005
【図５】
0003976894.tif 000006
【図６】
0003976894.tif 000007
【図７】
0003976894.tif 000008
【図８】
0003976894.tif 000009
【図９】
0003976894.tif 000010
【図１０】
0003976894.tif 000011
【図１１】
0003976894.tif 000012